(57)【特許請求の範囲】
【請求項１】
コンクリートの補修面に当接されて用いられるパネルであって、前記パネルは格子状のリブによってコンクリート面の目視が可能な透視穴が形成され、かつ、前記リブは幅寸法が大きいメインリブとサブリブとによって構成され、メインリブに取付用穴が穿孔されたことを特徴とするコンクリート補修面用パネル。
【請求項２】
透視穴が四角格子状リブからなり、メインリブは四角格子状の一方向に複数状形成された請求項１記載のコンクリート補修面用パネル。
【請求項３】
透視穴が四角格子状リブからなり、メインリブは四角格子状の一方向及び他方向に複数状形成された請求項１記載のコンクリート補修面用パネル。
【請求項４】
リブはコンクリート面側より先端が細くなる台形状をなしている請求項１記載のコンクリート補修面用パネル。
【請求項５】
パネルが熱硬化性樹脂にて製造された請求項１記載のコンクリート補修面用パネル。
【請求項６】
パネルがＦＲＰ製である請求項５記載のコンクリート補修面用パネル。
【請求項７】
パネルが熱可塑性樹脂にて製造された請求項１記載のコンクリート補修面用パネル。
【発明の詳細な説明】
【０００１】
【発明の属する技術分野】
本発明はトンネル等のコンクリート面の補修面用パネルに関する。
【０００２】
【従来の技術】
近年の土木工事にあってはコンクリート打設が欠かせない技術であり、例えば鉄道や高速道路等のトンネル壁面もコンクリートが打設されている。しかるに、コンクリートの打設時に地山に対するアンカーが不十分であったり、セメント材の選択によっては打設後にコンクリートが剥離したり崩落することがある。
【０００３】
このため、トンネル内のコンクリート壁面を目視により、或いは打感等によってその剥離の程度が検査され、剥離や脱落があった場合にはその部位を囲んで大きくコンクリートを落とし、ここに新たなコンクリートを打設したり、地山に向けてアンカーを深く打ち込んだり、エポキシ樹脂等を注入して剥離を防止する手段が取られていた。
【０００４】
そして、このような措置を施した後にコンクリート面を金属プレートにて覆うことが行われており、場合によっては施した措置を確認するために固定した金属プレートを取り外して検査することもある。
【０００５】
【発明が解決しようとする課題】
本発明は上記した従来の技術に鑑みてなされたものであって、トンネル等のコンクリート面の補修面用パネルを提供するものである。
【０００６】
【課題を解決するための手段】
本発明の要旨は、コンクリートの補修面に当接されて用いられるパネルであって、前記パネルは格子状のリブによってコンクリート面の目視が可能な透視穴が形成され、かつ、前記リブは幅寸法が大きいメインリブとサブリブとによって構成され、メインリブに取付用穴が穿孔されたことを特徴とするコンクリート補修面用パネルにかかる。
【０００７】
【発明の実施の形態】
本発明は以上の構成を有しており、コンクリート補修面に当接固定されて用いられ、このパネルを補修されたコンクリート面に当接固定してコンクリートの崩落を防止し、しかも透視穴からコンクリート面の補修状態を目視できることを特徴としたもので、透視穴を構成するリブの断面は通常はコンクリート面側より先端が細くなる台形状をなしている。かかるパネルは不飽和ポリエステル樹脂やエポキシ樹脂にて代表される好ましくはガラス繊維が配合された熱硬化性樹脂（ＦＲＰ）で製造され、或いはＰＥやＰＰにて代表される熱可塑性樹脂によっても製造されるものである。
【０００８】
なお、コンクリート面への当接固定はメインリブに備えた取付用穴を利用し、アンカーを打ち込んでこれを固定する手段を採用したものであり、このため、例えば四角格子を形成するメインリブはその一方向（パネルの縦方向）に、好ましくは、更に他方向（パネルの横方向）に複数状形成されるのがよい。そして、メインリブはサブリブよりも幅寸法が大きいものであって、高さは同じか或いはメインリブの背丈が高いものである。そして、リブはコンクリート面側より先端が細くなる台形状をなしているのがよい。透視穴は大きい程コンクリート面が目視できるため好ましいが、強度の面でその大きさは適宜選択される。又、リブの太さが細い程軽量化が図られ、製品のコストダウンともなる。尚、透視穴は通常は格子状のリブにて構成される四角状の穴であるが、勿論これに限定されるものではなく、例えば三角形状や六角形状の穴であってもよい。
【０００９】
本発明を製造するには、上下に分割できるモールドを用い、この間に樹脂を充填してパネルを製造するもので、例えば、不飽和ポリエステル樹脂にガラス繊維を配合したＦＲＰ製である。このＦＲＰ製のパネルについて更に言えば、メインリブの幅寸法は５〜１５ｍｍ、そのピッチは５〜５０ｍｍである。サブリブの幅寸法は２〜１０ｍｍである。尚、リブの高さは１０〜２０ｍｍである。そして、パネル全体の寸法としては、横幅が３００〜５００ｍｍ、縦が５００〜２０００ｍｍである。勿論、パネルの縦横は自在に変更できる。
【００１０】
【実施例】
以下、本発明を図面をもって更に詳細に説明する。
図１は本発明のパネルの第１例を示す正面図、図２はＡーＡ線での拡大断面図である。図中、１はコンクリート補修面用パネルであって、ＦＲＰ樹脂（不飽和ポリエステル樹脂にガラス繊維を配合した樹脂）製である。２は縦横に伸びるリブで、これによって多数の四角形状の透視穴３が形成されている。かかるリブ２はこの例では縦方向に二条のメインリブ２ａとサブリブ２ｂとからなる。
【００１１】
リブ２は、パネル１の裏側即ちコンクリート面に接する側の幅が広く、表面側の幅が狭く構成され、断面が台形となっている。このため、リブ２のコンクリート面に対する接触面積を大きくし、かつこれによって形成される透視穴３からコンクリート補修面が目視できることとなる。リブ２の断面を台形（傾斜面とする）にすることは、パネル１の製造時にモールドからの離型が容易となるという大きなメリットがもたらされる。４はメインリブ２ａに形成した取付穴であって、これによってコンクリート（地山）内にアンカー５を打ち込むことによって固定される。
【００１２】
図３は上記コンクリート補修面用パネルの製法の概略を示す図であり、Ｍ１は透視穴を形成する凸状部ａとリブ２を形成する溝部ｂ１、ｂ２を備えており、これが下型とされたものである。この溝ｂ１はメインリブ２ａを構成し、ｂ２はサブリブ２ｂを構成するものであって、前者はその幅寸法がやや広いものとなっている。そして、凸状部ａはこの例では全体的に断面台形とされたものであり、やや内側に角度θをもって構成されている。上型Ｍ２は下型Ｍ１の凸状部ａよりもやや離間した位置に配置されるものであり、この間に不飽和ポリエステル樹脂にガラス繊維を配合したシ−トモ−ルディングコンパウンドＣを積層し、加熱・加圧下でパネル基体を成形した。
【００１３】
上型Ｍ２について好ましい例をもって更に言及すれば、上型Ｍ２には下型Ｍ１の溝部ｂに対して凸条部ｃを形成したものであり、両型Ｍ１、Ｍ２の嵌め合わせを確実とすると共に、パネル基体の切断される樹脂量を少なくし、かつ切断部Ｐを溝部ｂと凸条部ｃとの接触位置（或いはこれよりやや深い位置）で切断することにより切断される樹脂部が少なく、切断そのものが容易となるという特徴を合わせ持っている。
【００１４】
尚、上下型にて形成されたキャビティ内に充填した樹脂は切断長さ１インチのハ−ドタイプのガラス繊維とソフトタイプのガラス繊維とを併用した不飽和ポリエステル樹脂組成物（ガラス繊維含有量２５％）を供給し、１４０℃、圧力５０ｋｇｆ／ｃｍ２ 、保持時間８分の条件で加圧・加熱してパネル基体を得たものである。
【００１５】
図４は本発明のパネルの第２例を示す図２と同様の断面図である。この場合はメインリブ２ａに形成した取付穴に段部が形成されたもの（４ａ）で、アンカー５の頭部がこれに嵌り込む形状となっている。
【００１６】
図５はこのパネル１を用いた際の断面図であり、１１は補修工事がなされたコンクリート面、１２は地山である。アンカー５は取付穴４を介して地山１２に到達するように打ち込まれるのがよい。この図からも分かるように、パネル１によって補修されたコンクリート面１１の崩落を阻止し、かつ透視穴３からコンクリート面１１が目視できることとなったものである。
【００１７】
図６は本発明の四角格子状のパネルの第３例を示す正面図である。この例の特徴はメインリブ２ａが縦横に夫々二条形成され、メインリブ２ａの交点６に取付用穴４を形成したものである。
【００１８】
【発明の効果】
本発明は以上の通りであり、コンクリートの崩落が阻止され、しかも補修されたコンクリート面がパネルの透視穴を通して目視できる等の特徴があり、特にトンネル内でのコンクリートの補修が極めて容易となったものである。
【図面の簡単な説明】
【図１】図１は本発明のパネルの第１例を示す正面図である。
【図２】図２は図１のＡーＡ線での拡大断面図である。
【図３】図３はパネルの製法の概略を示す図である。
【図４】図４は本発明のパネルの第２例を示す図２と同様の断面図である。
【図５】図５はパネルをコンクリート面に用いた断面図である。
【図６】図６は本発明のパネルの第３例を示す正面図である。
【符号の説明】
１‥コンクリート補修面用パネル、
２‥リブ、
２ａ‥メインリブ、
２ｂ‥サブリブ、
３‥透視穴、
４、４ａ‥取付穴、
５‥アンカー、
６‥メインリブの交点、
１１‥補修されたコンクリート面、
１２‥地山、
Ｃ‥樹脂、
Ｍ１‥下型、
Ｍ２‥上型、
Ｐ‥切断面、
ａ‥台形凸状部、
ｂ‥溝部、
ｃ‥凸条部、
ｄ‥ピン。
【図１】
0003604999.tif 000002
【図２】
0003604999.tif 000003
【図３】
0003604999.tif 000004
【図４】
0003604999.tif 000005
【図５】
0003604999.tif 000006
【図６】
0003604999.tif 000007